【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
表示面とアーカイブメモリを使用する方法であり、前記表示面は画像を表示するための表面を有し、前記アーカイブメモリに蓄積するため提示された複数の画像をグループ化する前記方法において、
ａ）表示面のユーザからの命令を受信するためのインターフェースを提供する工程と；
ｂ）後に記録保存される画像が画像サブセットにグループ化されることを示すサブセット開始命令をモニターする工程と；
ｃ）サブセット開始命令を受信した後、
ｉ）提示された画像が記録保存される予定であることを示すアーカイブ命令と、追加画像が前記画像サブセットに追加されないことを示すサブセット終了命令をモニターする工程と；
ｉｉ）アーカイブ命令を受信すると、前記画像サブセットの一部として前記提示された画像を記録保存する工程と；
ｉｉｉ）サブセット終了命令を受信すると、工程（ｂ）にスキップする工程と；
ｉｖ）工程（ｉ）ないし工程（ｉｉｉ）を繰り返す工程と；
を具備することを特徴とする方法。
【請求項２】
前記サブセット開始命令をモニターする前記工程がサブセット開始命令とアーカイブ命令の各々をモニターする工程を含み、アーカイブ命令がサブセット開始命令の受信前に受信されると、前記方法が他の画像から分離した画像として提示された画像を記録保存する工程を含むことを特徴とする請求項１記載の方法。
【請求項３】
画像サブセットに対するアクセスを制限する工程が更にサブセット開始命令を受信すると後に記録保存される前記画像サブセットにサブセットパスワードを割り当てる工程と、前記サブセットパスワードを提供するユーザに対し前記サブセット画像へのアクセスを制限する工程を具備することを特徴とする請求項１記載の方法。
【請求項４】
サブセットパスワードを割り当てる前記工程がサブセットパスワードを自動的に且つランダムに割り当てる工程を含むことを特徴とする請求項３記載の方法。
【請求項５】
サブセットパスワードを割り当てた後、サブセット終了命令が受信されるまでインターフェースを介して前記サブセットパスワードを提示する工程を更に含むことを特徴とする請求項４記載の方法。
【請求項６】
前記サブセットパスワードを提示する前記工程が前記サブセットパスワードを視覚的に表示する工程を含むことを特徴とする請求項５記載の方法。
【請求項７】
前記サブセットパスワードを提示する前記工程が前記サブセットパスワードを音声的に提供する工程を含むことを特徴とする請求項５記載の方法。
【請求項８】
サブセット開始命令をモニターする前記工程がサブセット開始命令とアーカイブ命令の各々をモニターする工程を含み、アーカイブ命令がサブセット開始命令を受信する前に受信されると、前記方法が提示された画像を個別の非制限画像として記録保存する工程を含むことを特徴とする請求項３記載の方法。
【請求項９】
画像が記録保存された後、各記録保存された画像のための個別の選択可能なアイコンを含む前記記録保存された画像にアクセスするためユーザーにレビューインターフェースを提供する工程を更に含み、前記選択可能なアイコンが各非制限記録保存画像のための非制限アイコン及び各制限画像のための制限アイコンを含むことを特徴とする請求項８記載の方法。
【請求項１０】
非制限アイコンが選択されると、対応する画像を提示する工程と、特定の画像サブセットと関連付けられた制限アイコンが選択されると、前記特定の画像サブセットと関連する前記パスワードをモニターする工程と、関連するパスワードが受信されると、前記画像サブセットからの画像の少なくとも一つを提示する工程とを更に含むことを特徴とする請求項９記載の方法。
【請求項１１】
前記特定の画像サブセットからの画像を提示した後、次の選択されるアイコンをモニターする工程と、もし前記次の選択されたアイコンが前記特定のサブセット内の画像に対応すると、対応する画像を提示する工程とを更に含むことを特徴とする請求項１０記載の方法。
【請求項１２】
サブセットパスワードを割り当てた後、サブセット終了命令が受信されるまでインターフェースを介して前記サブセットパスワードを提示する工程を更に含むことを特徴とする請求項３記載の方法。
【請求項１３】
サブセット開始命令をモニターする前記工程が前記インターフェース上に制限機能を示す保護ボタンを提供する工程と、前記制限機能がオフになると、前記保護ボタンが選択される時期を判断する工程とを含むことを特徴とする請求項３記載の方法。
【請求項１４】
サブセット終了命令をモニターする前記工程は、前記制限機能がオンになると、前記保護ボタンが選択される時期を判断する工程を含むことを特徴とする請求項１３記載の方法。
【請求項１５】
アーカイブ指示をモニターする前記工程が、前記インターフェース上にアーカイブ機能を示すアーカイブボタンを提供する工程と、前記アーカイブボタンが始動する時期を判断する工程を含むことを特徴とする請求項１４記載の方法。
【請求項１６】
サブセットパスワードを割り当てる前記工程が、システムユーザーから前記インターフェースを介して前記サブセットパスワードを受信する工程を含むことを特徴とする請求項３記載の方法。
【請求項１７】
画像を表示するための表面を有する表示面とアーカイブメモリを使用し、更にアーカイブメモリに蓄積するためサブセットに少なくともいくつかの提示された複数の画像をグループ化し、少なくともいくつかの前記画像サブセットへのアクセスを制限するための方法において、
ａ）表示面のユーザーからの命令を受信するためのインターフェースを提供する工程と；
ｂ）後に記録保存される複数の画像が画像サブセットでグループ化されること、及び前記サブセット画像に対するアクセスが制限されることを示す制限開始命令をモニターする工程と；
ｃ）制限開始命令が受信された後、
ｉ）後に記録保存される前記画像サブセットにサブセットパスワードを割り当てる工程と；
ｉｉ）提示された画像が記録保存されることを示すアーカイブ命令と、追加画像が前記画像サブセットに追加されないことを示す制限終了命令の各々をモニターする工程と；
ｉｉｉ）アーカイブ命令が受信されると、前記提示された画像を前記画像サブセットの一部として記録保存する工程と；
ｉｖ）制限終了命令が受信されると、前記サブセットパスワードを提供するユーザに対し前記サブセット画像へのアクセスを制限し、工程（ｂ）にスキップする工程と；
ｖ）工程ｉ）ないし工程ｉｖ）を繰り返す工程と；
を具備することを特徴とする方法。
【請求項１８】
サブセット開始命令をモニターする前記工程が、サブセット開始命令とアーカイブ命令の各々をモニターする工程を含み、アーカイブ命令がサブセット開始命令を受信する前に受信されると、前記方法が前記提示された画像を個別の非制限画像として記録保存する工程を含むことを特徴とする請求項１７記載の方法。
【請求項１９】
サブセットパスワードを割り当てる前記工程が、サブセットパスワードを自動的に且つランダムに割り当てる工程を含むことを特徴とする請求項１８記載の方法。
【請求項２０】
サブセットパスワードを割り当てた後、サブセット終了命令が受信されるまで、前記インターフェースを介して前記サブセットパスワードを視覚的に表示する工程を更に含むことを特徴とする請求項１９記載の方法。
【請求項２１】
前記提示された画像を前記サブセットの一部として記録保存する前記工程が、前記提示された画像を個別の画像として記録保存する工程と、前記サブセットパスワードを提供するユーザーに対して前記個別の画像へのアクセスを制限する工程を含むことを特徴とする請求項１７記載の方法。
【請求項２２】
サブセット開始命令をモニターする前記工程が、前記インターフェース上に制限機能を示す保護ボタンを提供する工程と、前記制限機能がオフになると、前記保護ボタンが始動する時期を判断する工程を含み、サブセット終了命令をモニターする前記工程が、前記制限機能がオンになると、前記保護ボタンが始動する時期を判断する工程を含むことを特徴とする請求項１７記載の方法。
【請求項２３】
アーカイブ指示をモニターする前記工程が、前記インターフェース上にアーカイブ機能を示すアーカイブボタンを提供し、前記アーカイブボタンが始動する時期を判断する工程を含むことを特徴とする請求項２２記載の方法。
【請求項２４】
アーカイブメモリに蓄積するため複数の画像をグループ化するための装置において、
画像を提示するための表面を有する表示面と；
メモリ装置と；
インターフェースと；
前記インターフェース及び前記メモリ装置に接続されたプロセッサと；
を具備し、前記プロセッサが、
ａ）後に記録保存される複数の画像が画像サブセットにグループ化されることを指示するサブセット開始命令のためのインターフェースをモニターする工程と；
ｂ）サブセット開始命令が受信された後、
ｉ）提示された画像が記録保存されることを示すアーカイブ命令と、追加画像が前記画像サブセットに追加されないことを指示するサブセット終了命令の各々のための前記インターフェースをモニターする工程と；
ｉｉ）アーカイブ命令が受信されると、前記提示された画像を前記画像サブセットの一部として記録保存する工程と；
ｉｉｉ）サブセット終了命令が受信されると、工程（ａ）にスキップする工程と；
ｉｖ）工程ｉ）から工程ｉｉｉ）を繰り返す工程と；
を具備することを特徴とする装置。
【請求項２５】
前記プロセッサがサブセット開始命令とアーカイブ命令の各々のための前記インターフェースをモニターすることによりサブセット開始命令をモニターし、アーカイブ命令がサブセット開始命令を受信する前に受信されると、前記プロセッサが個別の画像として前記提示された画像を記録保存することを特徴とする請求項２４記載の装置。
【請求項２６】
前記装置が画像サブセットに対するアクセスを制限し、前記プロセッサは、サブセット開始命令が受信されると、後に記録保存されるサブセット画像にサブセットパスワードを割り当てる工程と、前記サブセットパスワードを提供するユーザーに対し前記サブセット画像へのアクセスを制限する工程を実施することを特徴とする請求項２４記載の装置。
【請求項２７】
前記プロセッサが前記サブセットパスワードを自動的に且つランダムに割り当てることを特徴とする請求項２６記載の装置。
【請求項２８】
前記インターフェースが視覚表示装置を含み、前記プロセッサは、サブセットパスワードを割り当てた後、次にサブセット終了命令が受信されるまで、前記表示装置を介して前記サブセットパスワードを提示することを特徴とする請求項２７記載の装置。
【請求項２９】
前記プロセッサは個別画像として前記提示された画像を記録保存し、前記サブセットパスワードを提供するユーザーに対して個別の画像へのアクセスを制限することにより、前記サブセットの一部として前記提示された画像を記録保存することを特徴とする請求項２６記載の装置。
【請求項３０】
サブセット開始命令をモニター中、前記プロセッサは前記アーカイブ命令もモニターし、アーカイブ命令がサブセット開始命令の受信前に受信されると、前記プロセッサは個別の非制限画像として前記提示された画像を記録保存することを特徴とする請求項２９記載の装置。
【請求項３１】
前記インターフェースは保護ボタンを含み、前記プロセッサは、制限機能がオフになると、前記保護ボタンが始動する時期を判断することによりサブセット開始命令をモニターすることを特徴とする請求項２６記載の装置。
【請求項３２】
プロセッサは、前記制限機能がオンになると、前記保護ボタンが始動する時期を判断することによりサブセット終了命令をモニターすることを特徴とする請求項３１記載の装置。
【請求項３３】
前記インターフェースはアーカイブボタンを含み、前記プロセッサは、前記アーカイブボタンが始動する時期を判断することによりアーカイブ命令をモニターすることを特徴とする請求項２４記載の装置。
【請求項３４】
アーカイブメモリに蓄積するため少なくともいくつかの提示された画像をサブセットにグループ化し、且つ少なくともいくつかの画像サブセットに対するアクセスを制限するための装置において、
画像を提示するサブセットを有する表示面と；
メモリ装置と；
インターフェースと；
前記インターフェースと前記メモリ装置に接続されたプロセッサと；
を具備し、前記プロセッサが、
ａ）後に記録保存される複数の画像が画像サブセットにグループ化されること及び前記サブセット画像に対するアクセスが制限されることを指示する制限開始命令をモニターする工程と；
ｂ）制限開始命令が受信された後、
ｉ）後に記録保存される前記画像サブセットにサブセットパスワードを割り当てる工程と；
ｉｉ）提示された画像が記録保存されることを指示するアーカイブ命令と、追加の画像が前記画像サブセットに追加されないことを指示する制限終了命令の各々をモニターする工程と；
ｉｉｉ）アーカイブ命令が受信されると、前記提示された画像を画像サブセットの一部として前記メモリ装置に記録保存する工程と；
ｉｖ）制限終了命令が受信されると、前記サブセットパスワードを提供するユーザに対し前記サブセット画像へのアクセスを制限し、工程（ａ）にスキップする工程と；
ｖ）工程（ｉ）ないし工程（ｉｖ）を繰り返す工程と；
を具備することを特徴とする装置。
【請求項３５】
前記プロセッサはサブセット開始命令とアーカイブ命令を同時にモニターし、且つアーカイブ命令がサブセット開始命令を受信する前に受信されると、前記プロセッサは個別の非制限画像として前記提示された画像を記録保存することを特徴とする請求項３４記載の装置。
【請求項３６】
前記インターフェースは視覚表示器を含み、プロセッサはサブセット開始命令が受信されるとサブセットパスワードを自動的に且つランダムに割り当て、サブセットパスワードの割当後、前記プロセッサは、サブセット終了命令が受信されるまで前記表示器を介して前記パスワードを表示することを特徴とする請求項３５記載の装置。
【請求項３７】
個別画像として前記提示された画像を記録保存し、前記サブセットパスワードを提供するユーザに対し前記個別画像へのアクセスを制限することにより、前記プロセッサが前記サブセットの一部として前記提示された画像を記録保存することを特徴とする請求項３４記載の装置。
【請求項３８】
表示面と前記表示面と相互作用する少なくとも１つの器具を使用する方法であり、前記少なくとも１つの器具は前記表面上の位置を特定し、器具との接触を介して前記表面上の画像を変更するために使用でき、且つ前記器具が前記表示面と接触する時期及び場所を判断するための方法において、
前記表面に近傍で且つ前記表面から離間した検出面内の前記器具の位置を判断するため第１センサーを使用する工程と；
前記器具が前記表面と接触する時期を判断するため第２センサーを使用する工程と；
器具が前記検出面内に配置され表面と接触すると、前記器具の前記表面への接触及び前記表面に対する前記器具の位置を特定する工程と；
を具備することを特徴とする方法。
【請求項３９】
前記表面の近傍の前記器具の位置が変更され、前記器具が前記表面と接触状態にあると、前記相互作用が音響信号を生じ、且つ第２センサーを使用する工程が音響センサーを提供し、且つ前記音響信号を検出するため前記音響センサーを使用する工程を含むことを特徴とする請求項３８記載の方法。
【請求項４０】
検出面内の前記器具の位置を判断するため第１センサーを使用する工程が、前記検出面内の器具の位置を検出する光学レーザーアセンブリを提供する工程を含むことを特徴とする請求項３９記載の方法。
【請求項４１】
前記器具は前記器具が前記表面と接触すると、タグの少なくとも一部が前記検出面内に配置されるように少なくとも１つのコード化されたタグを含み、前記検出面内の前記器具の位置を検出する工程は、前記検出面内の前記タグの位置を判断する工程を含むことを特徴とする請求項４０記載の装置。
【請求項４２】
前記表示面は書き込み表面であり、前記表示面は更に前記書き込み表面の反対に裏面を含み、音響センサーを提供する工程が、前記裏面に対して前記音響センサーを設置する工程含むことを特徴とする請求項３９記載の方法。
【請求項４３】
前記センサーはいくつかのプロセッサ機能を停止状態にし、ある期間使用されない時、節電モードにするプロセッサに接続され、前記方法は音がボードの近傍で発生すると前記プロセッサを始動し、更に、前記ボードの近傍の音を検出するため前記音響センサーを使用する工程及び前記プロセッサを始動する工程を含むことを特徴とする請求項３９記載の方法。
【請求項４４】
第２センサーを使用する工程が、前記器具が前記表面と接触する時期を判断するためタッチ感応センサーを使用する工程を含むことを特徴とする請求項３８記載の方法。
【請求項４５】
表示面画像を蓄積するための前記表示面に接続されたメモリ装置を使用するための方法であり、前記器具が前記表面上の画像を変更するためのものであり、前記方法は更に前記器具が前記表面と接触したこと及び前記表面に対する前記器具の位置を特定した後、前記表面との接触中前記器具の前記検出された位置の機能として前記メモリ装置内の前記画像情報を変更する工程を含むことを特徴とする請求項３８記載の方法。
【請求項４６】
前記器具がペンであり、前記画像情報を変更する工程が、接触中の前記器具の位置のマークに対応する情報を蓄積する工程を含むことを特徴とする請求項４５記載の方法。
【請求項４７】
器具の位置を確認するため前記音響センサーを使用する工程を更に含むことを特徴とする請求項３９記載の方法。
【請求項４８】
画像を生成し且つ蓄積し、少なくとも１つの器具と共に使用するための装置において、
表示面と；
前記表面の近傍で且つ前記表面から離間する検出面内の前記器具の位置を判断するための第１センサーと；
前記器具が前記表面と接触する時期を判断するための第２センサーと；
前記第１及び第２センサーの各々に接続され、器具が前記検出面内に配置され、前記表面と接触すると、前記器具が前記表面と接触すること及び前記表面に対する前記器具の位置を特定するためプログラムを実行するプロセッサと；
を具備することを特徴とする装置。
【請求項４９】
電子表示面と、前記表示面と相互作用するための器具を使用する方法であり、前記表示面が表示領域を有し、前記表示領域の少なくとも一部の周囲でカーソルアイコンを移動させる方法において、
第１及び第２領域表面を有する前記表示領域内の第１及び第２領域を特定する工程と；
前記第１領域表面上の前記器具の位置を検出する工程と；
前記第１領域表面上の前記器具の位置の機能として前記第２領域表面上にカーソル位置を投影する工程と；
を具備することを特徴とする方法。
【請求項５０】
前記第１及び第２領域が相違することを特徴とする請求項４９記載の方法。
【請求項５１】
前記第２領域を特定する工程が、前記第２領域を前記表示面上の他の領域から区別するための境界を提供する工程を含むことを特徴とする請求項５０記載の方法。
【請求項５２】
前記第１及び第２領域を特定する工程が、前記第２領域より小さい第１領域を特定する工程を含むことを特徴とする請求項４９記載の方法。
【請求項５３】
前記第１及び第２領域を特定する工程が、更に前記第１領域として前記表示領域の端部に沿った領域を特定する工程を含むことを特徴とする請求項５２記載の方法。
【請求項５４】
前記第１領域の形状は前記第２領域の形状に類似し、前記第１領域は前記第２領域より小さいことを特徴とする請求項４９記載の方法。
【請求項５５】
前記第１領域表面上の前記器具位置の機能として前記第２領域表面上にカーソルを投影する前記工程が、前記第２領域に対する前記カーソルアイコンの位置が前記第１領域に対する前記器具の位置と同一であるような位置で前記カーソルアイコンを投影する工程を含むことを特徴とする請求項５４記載の方法。
【請求項５６】
前記器具は前記第１領域表面と接触し、前記第１表面上を移動すると、前記カーソルアイコンは前記第２領域表面上を移動することを特徴とする請求項５５記載の方法。
【請求項５７】
前記器具が前記第１領域表面と接触し、第１方向に沿って前記第１領域表面上を動くと、前記カーソルアイコンは前記第２方向が前記第１方向と同一であるような第２方向に沿って前記第２領域表面上を移動することを特徴とする請求項４９記載の方法。
【請求項５８】
前記第１領域表面は前記第２領域表面上での活動を制御するために利用できる複数の第１領域表面を含むことを特徴とする請求項４９記載の方向。
【請求項５９】
前記第１領域表面が前記第２領域表面の一部であることを特徴とする請求項４９記載の方法。
【請求項６０】
第１及び第２領域表面を特定する前記工程が、前記表示面上に前記第２領域を示す境界を投影する工程を含むことを特徴とする請求項４９記載の方法。
【請求項６１】
前記第２領域と前記第２領域周囲の境界を含むバッファ領域を特定する工程を更に含み、前記方法は更に前記バッファ領域と前記第２領域内の器具位置を検出する工程と、前記器具が前記バッファ領域と前記第２領域の一つの前記表面と接触すると前記器具位置の絶対位置の前記表面上に前記カーソルを投影する工程を含むことを特徴とする請求項６０記載の方法。
【請求項６２】
前記第１領域表面上の前記器具位置の機能として前記第２領域表面上のカーソルアイコンを投影する前記工程が、前記第２領域に対する前記カーソルアイコンの位置が前記第１領域に対する前記器具の位置と同一であるような位置で前記カーソルアイコンを投影する工程を更に含むことを特徴とする請求項６１記載の方法。
【請求項６３】
前記第１領域は前記第２領域以外の前記表示面の各部分を含むことを特徴とする請求項４９記載の方法。
【請求項６４】
前記第１領域上の前記器具位置の機能として前記第２領域内にカーソルアイコンを投影する前記工程が、前記第１領域上の前記器具の動きを特定する工程と、前記第２領域上で前記カーソルの相対移動を生じさせる工程を含むことを特徴とする請求項６３記載の方法。
【請求項６５】
前記第２領域表面上の器具位置を検出する工程と、前記第２領域表面上の前記器具の位置の機能として前記第２領域表面上にカーソルアイコンを投影する工程を更に含むことを特徴とする請求項６４記載の方法。
【請求項６６】
前記第２領域表面上の前記器具の位置の機能として前記第２領域表面上にカーソルアイコンを投影する工程が、前記第２領域表面上の前記器具の絶対位置に前記カーソルを投影する工程を含むことを特徴とする請求項６５記載の方法。
【請求項６７】
電子表示面と表示領域を有する前記表示面と相互作用する器具を使用する方法であり、前記表示領域の少なくとも一部の周囲にカーソルアイコンを移動させる方法において、
第１及び第２領域表面を有する前記表示領域内の第１及び第２領域を特定する工程と；
前記器具が前記第１領域表面上の位置と接触して配置されると、
ａ）前記第１領域表面上の前記器具位置を検出する工程と；
ｂ）前記第１領域表面上の前記器具位置の機能として前記第２領域表面上にカーソルアイコンを投影する工程と；
前記器具が前記第２領域表面上の位置と接触して配置されると、
ａ）前記第２領域表面上の前記器具位置を検出する工程と；
ｂ）前記第２領域表面上の前記器具の位置で前記第２領域表面上にカーソルアイコンを投影する工程と；
を具備することを特徴とする方法。
【請求項６８】
いくつかの機能ボタンを含む電子表示面上の特徴に関する情報を提供する方法において、
ａ）情報ボタンを提供する工程と；
ｂ）前記情報ボタンの始動をモニターする工程と；
ｃ）前記情報ボタンが始動された後、前記特徴ボタンの始動をモニターする工程と；
ｄ）前記特徴ボタンの１つが前記上ボタンの始動後に始動されると、前記始動された特徴ボタンに対応する特徴に関する情報を提供する工程と；
を具備することを特徴とする方法。
【請求項６９】
前記情報ボタンが始動すると、タイマーを開始する工程と、前記タイマー値をタイムアウト期間と比較する工程と、タイマー値が特徴ボタンの始動以前にタイムアウト期間を超えると、工程（ｂ）にスキップする工程を含むことを特徴とする請求項６８記載の方法。
【請求項７０】
前記情報ボタンは外観を変えるように制御され、前記方法は前記タイマーが開始すると前記情報ボタンの外観を変更する工程を更に含むことを特徴とする請求項６９記載の方法。
【請求項７１】
情報を提供する工程が、情報を音声的に提供する工程を含むことを特徴とする請求項６８記載の方法。
【請求項７２】
情報を提供する工程が、情報を視覚的に提供する工程を含むことを特徴とする請求項６８記載の方法。
【請求項７３】
表示面と、前記表示面近傍の検出面内のタグの位置と型を検出するためのセンサーアセンブリを含む電子白板を使用するための装置において、
第１及び第２端部を有する器具、及び前記第１端部が前記表示面と接触すると、前記第１タグの少なくとも一部が前記検出面内にあるように前記第１端部に配置された第１タグと；
前記第１及び第２キャップ端部を有し、これらの間で外部表面を形成するキャップ部材であり、前記第２キャップ端部は前記第１器具端部が開口部内に受け入れられると前記キャップが前記器具タグをカバーするように前記第１器具端部を受け入れるための開口部を形成したキャップ部材と、更に前記キャップの前記第１端部が前記表示面と接触すると、前記キャップタグが前記検出面内にあるように前記キャップ部材の前記第１端部に配置された第１キャップタグと；
を具備することを特徴とする装置。
【請求項７４】
前記第１器具タグと前記第１キャップタグは異なる器具を示し、前記タグの各々はスタイラス、イレーザー、及びペンの１つを示すことを特徴とする請求項７３記載の装置。
【請求項７５】
前記キャップ部材の前記第２端部で形成された前記開口部は前記第１器具端部が内部に受け入れられると前記キャップが前記器具タグを完全にカバーするように形成されることを特徴とする請求項７４記載の装置。
【請求項７６】
電子表示面と使用され、且つ前記表示面上の前記器具を介して発生する視覚効果を特定するための装置において、
前記表示面近傍の検出面内のタグの位置と型を検出するためのセンサーアセンブリ；
を具備し、器具が、
第１及び第２ハンドル端部と、前記第１ハンドル端部に配置された少なくとも第１及び第２の光学的に読み出し可能なハンドルタグを有するハンドル部材と；
第１及び第２キャップ端部と、前記第１及び第２キャップ端部間で且つ前記第１ハンドル端部を受け入れるための前記第２キャップで開口部を形成する外部表面を有するキャップ部材であり、前記キャップ部材が前記外部表面と前記開口部により形成されたチャンネル間の前記キャップ部材の第１端部の近傍にウインドウを形成し、前記ウインドウは前記キャップ部材の前記第１端部が前記表面と接触すると、前記ウインドウの少なくとも一部が前記検出面内にあるように前記キャップ部材の前記第１端部に対して形成され、前記第１ハンドル端部が前記開口部内に受け入れられると、前記ハンドルタグが前記開口部内にあり、タグの各々は前記タグが前記開口部を介して検出できるように前記ウインドウと個別に整合可能であり、前記キャップ部材は前記検出面内の前記第１及び第２ハンドルタグの各々を個別に露出するため前記第１ハンドルの周囲を回転可能であり、前記ハンドルタグの各々は異なる器具特性を示すキャップ部材と；
を具備することを特徴とする装置。
【請求項７７】
前記ハンドル部材の前記第１端部に配置された第３ハンドルタブを更に含み、前記キャップ部材は前記ウインドウを介して前記第３ハンドルタグを個別に露出するため前記ハンドル部材の前記第１端部の周囲を回転可能であり、前記第３タグは前記第１及び第２タグにより示された前記器具の特性と異なる器具の特性を示すことを特徴とする請求項７６記載の装置。
【請求項７８】
前記キャップ部材の前記第１端部が前記表示面と接触すると前記キャップタグが前記検出面内にあるように前記外部表面上で前記キャップ部材の前記第１端部に配置されたキャップタグを更に含み、前記キャップタグは前記器具型についての追加情報を示し、前記センサーアセンブリは前記器具の前記第１端部が前記キャップ開口部内に受け入れられ、前記キャップ部材の前記第１端部が前記表示面と接触すると、前記キャップタグと前記ハンドルタグの少なくとも１つを検出することを特徴とする請求項７６記載の装置。
【請求項７９】
前記キャップタグが器具の型を示し、前記ハンドルタグが前記器具の型の追加的特性を示すことを特徴とする請求項７８記載の装置。
【請求項８０】
前記キャップタグがスタイルス、ペン、イレーザーの一つを示し、前記キャップタグがペンを示す場合前記ハンドルタグがペンの幅とペンの色のうち少なくとも一つを示し、前記キャップタグがイレーザーを示す場合前記ハンドルタグが異なるイレーザーの幅と色のうち少なくとも一つを示すことを特徴とする請求項７９記載の装置。
【請求項８１】
前記タグウインドウが開口部であることを特徴とする請求項７６記載の装置。
【請求項８２】
前記ハンドルの外部表面と前記キャップ部材外部表面のうち１つが前記ハンドルタグと前記ハンドル部材外部表面の他方と関連する器具特性を示す特性マークを含み、前記キャップ部材外部表面は整合マークを含み、前記特性マークと前記整合マークは前記ハンドル部材の前記第１端部が前記キャップ部材開口部に受け入れられ、前記第１ハンドルタグが前記タグウインドウと整合されると、前記整合マークが前記第１ハンドルタグと関連する特性を示す前記特性マークと整合されるように並置され、前記ハンドル部材の前記第１端部が前記キャップ部材開口部内に受け入れられ、前記第２ハンドルタグが前記タグウインドウと整合されると、前記整合マークが前記第２ハンドルタグと関連する特性を示す前記特性マークと整合されることを特徴とする請求項７６記載の装置。
【請求項８３】
表示面と使用するためのアセンブリにおいて、
前記表示面と相互作用する器具を検出するためのセンサーアセンブリと；
メモリ装置と；
前記センサーアセンブリと前記メモリ装置に接続されたプロセッサであり、前記表示面に対する器具の活動に関する前記センサーアセンブリからの情報を受信し、プロセッサ自体の機能として画像データを発生し、前記画像が前記表示面上に生成されると前記メモリ装置内の画像として前記画像データを蓄積するプロセッサと；
前記プロセッサに接続され、前記メモリ装置に蓄積された前記画像データを消去するクリアボタンと；
を具備することを特徴とするアセンブリ。
【請求項８４】
前記センサーが前記表示面近傍の検出面内のタグの位置及び型を判断し、各器具は前記表示面と相互作用するために使用される前記器具の一部の近傍に配置され、前記器具が前記表示面と接触すると前記検出面内に存在するタグを含むことを特徴とする請求８３記載の装置。
【請求項８５】
第１端部のインクディスペンサーと前記第１端部の近傍に配置されたペンタグを含むペン器具を更に含むことを特徴とする請求項８４記載の装置。
【請求項８６】
画像データが前記メモリ装置に蓄積される時期を示すメモリインディケータを更に含むことを特徴とする請求項８３記載の装置。
【請求項８７】
前記メモリインディケータは画像データが前記メモリ装置に蓄積されると点灯する光であることを特徴とする請求項８６記載の装置。
【請求項８８】
警告インディケータを更に含み、前記アセンブリはタグをつけていない物体が前記検出面内で検出されると前記検出内の対象物体を検出でき、前記プロセッサは前記警告インディケータを始動することを特徴とする請求項８３記載の装置。
【請求項８９】
前記警報インディケータはアセンブリユーザにより積極的に停止状態にされるまで作動した状態であることを特徴とする請求項８８記載の装置。
【請求項９０】
インク消去表面及びイレーザー表面の近傍に配置されたイレーザータグを備えるイレーザー器具を含み、前記イレーザー表面が前記表示面と接触すると前記イレーザタグが前記検出面に留まることを特徴とする請求項８５記載の装置。
【請求項９１】
表示面と使用するためのアセンブリにおいて、
前記表示面と相互作用する器具を検出するためのセンサーアセンブリと；
メモリ装置と；
警報インディケータと；
前記センサーアセンブリと前記メモリ装置に接続されたプロセッサであり、前記検出面内にある物体に関する前記センサーアセンブリからの情報を受信し、前記表示面上の器具の活動の機能として画像データを生成し、情報が上記表示面上で変化すると画像として前記画像データを前記メモリ装置内に蓄積し、タグのない物体が前記表示面上で検出されると前記警報インディケータを始動するプロセッサと；
を具備することを特徴とするアセンブリ。
【請求項９２】
前記センサーが前記表示面の近傍の検出面内のタグの位置と型を判断し、各器具は前記表示面と相互作用するために使用される前記器具の一部の近傍に配置され、かつ前記器具が前記表示面と接触すると前記検出面内に留まるタグを含むことを特徴とする請求項９１記載の装置。
【請求項９３】
第１端部のインクディスペンサーと前記第１端部の近傍に配置されたペンタグを含むペン器具を更に含むことを特徴とする請求項９２記載の装置。
【請求項９４】
前記警報インディケータは光であり、タグのない物体が前記検出面内で検出されると前記プロセッサにより点灯されることを特徴とする請求項９１記載の装置。
【請求項９５】
前記警報インディケータはアセンブリユーザーにより積極的に停止状態にされるまで作動していることを特徴とする請求項９１記載の装置。
【請求項９６】
表示端部を有する表示面とレーザー装置を使用するための方法であり、前記レーザー装置が検出面内の放射点から放射するレーザービームを発生し、前記検出面内の物体を検出し、前記検出面が前記表示面と平行であるように前記レーザ装置を整合する方法において、
前記放射点が前記表示面から既知の距離だけ離間し、前記レーザービームにより発生したビームが前記表示面と一般的に平行に向けられるように、前記表示面の近傍に前記レーザー装置を設置する工程と；
前記レーザー装置に可視光ビームを発生させる工程と；
計測表面が前記ビームにより範囲決めされる前記表示面に沿って異なる位置で計測表面を提供する工程と；
前記ビームが前記計測表面上に光線を形成するように光源の周囲及び前記検出面内でアークを介して前記ビームを回転させる工程と；
前記計測表面に沿って前記光線と前記表示面間の距離を計測する工程と；
を具備し、前記計測距離と前記既知の距離が異なる場合、この差を最小にするため前記レーザー装置を調整することを特徴とする方法。
【請求項９７】
計測表面を提供する工程が、前記表示面から伸びる端部表面を形成する前記表示面端部の少なくとも一部に沿って端部部材を提供する工程を含み、前記レーザー装置をモニターする工程が、前記端部表面と一般的に逆の表示端部の近傍に前記装置を設置する工程を含み、前記計測工程が前記端部表面の長さに沿って異なる位置での距離を計測する工程を含むことを特徴とする請求項９６記載の方法。
【請求項９８】
前記設置工程が前記表示面の第１コーナーの近傍に前記センサーを設置する工程を含むことを特徴とする請求項９７記載の方法。
【請求項９９】
２個のレーザー位置センサーを使用し、前記プロセスが前記２個のセンサーのために反復されることを特徴とする請求項９８記載の方法。
【請求項１００】
前記第２レーザー位置センサーを設置する前記工程が、前記表示面の第２コーナーの近傍に前記第２センサーを設置する工程を含むことを特徴とする請求項９９記載の方法。
【請求項１０１】
円周端部を有する表示面と使用する装置であり、前記表示面の近傍である検出面内の器具の位置を判断するため、且つ表示面が平坦であるかどうかを判断するための装置において、
前記表示面の第１端部の近傍に位置決めされた第１レーザー源であり、第１レーザービームを発生し、前記表示面を横切るように前記第１ビームを方向付け、前記第１ビームが前記表示面の少なくとも一部を周期的に横断するように前記第１ビームを回転させ、且つ前記第１レーザー源は第１状態と第２状態で動作可能であり、第１状態で前記第１レーザー源が不可視レーザービームを発生し、第２状態で前記第１レーザー源が可視レーザービームを発生するような第１レーザー源と；
前記表示面の端部に設置され、前記検出面内の物体から反射する前記第１レーザ源からの不可視レーザービームを検出するための少なくとも１つの第１センサーと；
レーザー源の動作の前記第１及び第２状態の一つを選択するためのセレクタと；
を具備することを特徴とする装置。
【請求項１０２】
前記表示面の第２端部の近傍に位置決めされた第２レーザー源を更に含み、前記第２端部は前記第１端部と対向し、更に前記第２レーザー源は第２レーザービームを発生し、前記表示面を横切るように前記第２ビームを方向付け、前記第２ビームが前記表示面の少なくとも一部を周期的に横断するように前記第２ビームを回転し、更に前記第２レーザー源は第１状態と第２状態で動作可能であり、第１状態において前記第２レーザー源が不可視レーザービームを発生し、第２状態において前記第２レーザー源が可視レーザービームを発生することを特徴とする請求項１０１記載の装置。
【請求項１０３】
前記第１及び第２レーザー源は前記表示面の第１及び第２コーナーに配置され、且つほぼ全表示面領域を横断するアークを介して各ビームを回転するように制御されることを特徴とする請求項１０２記載の装置。
【請求項１０４】
前記第１センサーは前記第１レーザー源に設置され、前記装置は前記第２レーザー源に設置された第２センサーを含むことを特徴とする請求項１０２記載の装置。
【請求項１０５】
画像を記録保存するための電子ボードアセンブリにおいて、
表示面と；
前記ボードシステム専用のウエブサーバーであり、前記サーバーを介してアクセス可能なボード画像を蓄積するためのアーカイブメモリ装置を含むウエブサーバーと；
蓄積された画像にアクセスするため前記ウエブサーバーに接続可能なインターフェース装置と；
を具備することを特徴とする電子ボードアセンブリ。
【請求項１０６】
前記インターフェースは前記表示面上の情報が前記ウエブサーバーにより前記アーカイブメモリ装置に蓄積されること示すための蓄積コンポーネントを提供することを特徴とする請求項１０５記載のアセンブリ。
【請求項１０７】
前記インターフェースが記録保存された画像にアクセスするための意図を示すためのアーカイブソースコンポーネントを提供することを特徴とする請求項１０６記載のアセンブリ。
【請求項１０８】
前記インターフェースが更に記録保存された画像を前記表示面に投影するためのプロジェクタを含み、前記プロセッサがアクセスされた画像のビデオ出力を前記プロジェクタに提供することを特徴とする請求項１０７記載のアセンブリ。
【請求項１０９】
前記インターフェース装置がネットワークを介して前記サーバーに接続可能なコンピュータであることを特徴とする請求項１０５記載のアセンブリ。
【請求項１１０】
表示面と；
ボード画像を蓄積するためのアーカイブメモリ装置とコンピュータに接続するための外部コンピュータリンケージを含むシステムプロセッサと；
前記プロセッサに接続され、かつ前記表示面上に画像を投影するように位置決めされたプロジェクタと；
前記プロセッサに接続され、前記表示面上に投影する画像の前記レーザー源を特定するためのインターフェースであり、記録保存された画像が投影されることを示すためのアーカイブソースコンポーネントと、前記リンケージに接続されたコンピュータにより生成された画像が投影されることを示すためのコンピュータソースコンポーネントを含むインターフェースと；
を具備し、
前記アーカイブソースコンポーネントが選択されると、前記プロセッサが記録保存された画像を前記表示面上に投影し、前記コンピュータソースコンポーネントが選択されると、前記プロセッサが前記表示面上に前記リンケージに接続されたコンピュータにより生成した画像を投影するとことを特徴とする電子ボードアセンブリ。
【請求項１１１】
ボード表面上に表示された投影され且つ適用された情報をキャプチャする方法において、
前記表面を第１及び第２領域に分割し、前記第２領域を前記第１領域より小さくする工程と；
画像を前記第２領域上に投影する工程と；
前記第１及び第２領域のどちらかに対して器具を介して適用された情報を検出する工程と；
保存命令が受信されると、前記投影され且つ適用された情報をアーカイブメモリ装置に蓄積する工程と；
を具備することを特徴とする方法。
【請求項１１２】
蓄積する前記工程が後のアクセスのため１つの統合画像として前記投影され且つ適用された情報を蓄積する工程を含むことを特徴とする請求項１１１記載の方法。
【請求項１１３】
蓄積する前記工程が後のアクセスのため個別の相関画像として前記投影され且つ適用された情報を蓄積する工程を含むことを特徴とする請求項１１１記載の方法。
【請求項１１４】
前記プロセッサはシステムユーザーが統合及び分離動作モードの一つを選択することを可能にするインターフェースを含み、且つ前記投影及び適用された情報を蓄積する前記工程が、前記統合及び分離モードのどちらを選択されるかを特定する工程を含み、前記統合モードが選択される場合、１つの統合画像として前記投影され且つ適用された情報を蓄積し、前記分離モードが選択される場合、個別の相関画像として前記投影され且つ適用された情報を蓄積することを特徴とする請求項１１１記載の方法。
【請求項１１５】
電子表示ボードシステムを調整するための方法であり、前記システムがプロセッサと、表示面と、前記プロセッサに接続され前記表示面の一部に画像を提供する表示ドライバを含む方法において、
前記表示面上に画像位置を示すマークを提供する工程と；
前記表面上のマーク位置を検出する工程と；
第２領域として前記マークと関連する前記領域を、また第１領域として前記表面上の他の領域を特定する工程と；
前記ドライバが前記第１領域で生じる器具の活動の機能として前記第２領域内にカーソルを提供する工程と；
を具備することを特徴とする方法。
【請求項１１６】
カーソルを提供する前記工程が、前記第１領域内でのカーソルの移動に対して相対的に前記第２領域内の前記カーソルを移動させる工程を含むことを特徴とする請求項１１５記載の方法。
【請求項１１７】
前記ドライバが前記第１領域内の器具の活動の機能として前記第２領域内にカーソルを提供する工程を更に含むことを特徴とする請求項１１６記載の方法。
【請求項１１８】
前記ドライバが前記第２領域内の器具の活動の機能として前記第２領域内にカーソルを提供する前記工程が、前記第２領域内の前記器具活動の絶対位置にカーソルを提供する工程を含むことを特徴とする請求項１１７記載の方法。